(57)【要約】【課題】  内部光源の光量変化をより簡単な構成で確実に検知し、照明光の光量を一定に維持するための構造を備えたスポット光源装置を提供する。【解決手段】  開口絞り(112)を通過した照明光(L)の光量制御のため、モニタ(140)が開口絞り(112)と出射口(22)とで規定される空間内であって、開口絞り(112)を通過した照明光(L)の光路上から外れた位置に設けられている。モニタ(140)は、照明光(L)として利用できない迷光成分(R1)を照明光(L)の光量変化検出のモニタ光として検出するため、出射口(22)から取り出される照明光を効率的に利用することができる。また、照明光の一部をモニタ光に利用しないため、モニタ光の損失分を加味した光量制御は不要になる。【選択図】  図６
2006351439.tif 000002
【特許請求の範囲】
【請求項１】
所定波長の照明光を発生させる光源と、
前記光源を収納した状態で、該光源からの照明光の一部を外部に取り出すための出射口が設けられたハウジングと、
前記ハウジング内の空間を前記光源側の空間と前記出射口側の空間とに分離するよう、前記光源と前記出射口と間に配置された遮蔽板であって、前記光源からの照明光の一部を前記出射口に導くための取り込み口を有する遮蔽板と、
前記遮蔽板で区切られた前記出射口側の空間内に配置された制御ユニットを少なくとも備えたスポット光源装置において、
前記制御ユニットは、
前記取り込み口と前記出射口との間に配置され、前記取り込み口を通過し前記出射口に向かう照明光の光量を調節するための光量調節機構と、
前記遮蔽板で区切られた前記出射口側の空間内であって前記取り込み口を通過し前記出射口に向かう照明光の光路上から外れた位置に配置され、該照明光のうち前記出射口を通過できない迷光成分の一部を、前記光量調節機構の制御情報として検出するモニタを少なくとも有することを特徴とするスポット光源装置。
【請求項２】
前記ハウジング内において前記光量調節機構と前記出射口との間に配置され、前記光量調節機構により光量調節された照明光のうち前記出射口を通過できない迷光成分の一部を前記モニタへ導くための迷光誘導構造をさらに備えたことを特徴とする請求項１記載のスポット光源装置。
【請求項３】
前記迷光誘導構造は、前記光量調節機構と前記出射口との間に前記モニタに隣接するよう配置され、前記光量調節機構により光量調節された照明光を通過させるための開口を有する第１誘導板を含むことを特徴とする請求項２記載のスポット光源装置。
【請求項４】
前記迷光誘導構造は、前記第１誘導板とともに前記モニタを挟むよう第１誘導板と前記光量調節機構との間に配置され、該第１誘導板とともに迷光成分の導波空間を形成する第２誘導板であって、前記光量調節機構により光量調節された照明光を通過させるための開口を有する第２誘導板をさらに含むことを特徴とする請求項３記載のスポット光源装置。
【請求項５】
前記第１誘導板の開口面積は、前記第２誘導板の開口面積よりも大きいことを特徴とする請求項４記載のスポット光源装置。
【請求項６】
前記制御ユニットにおける光量調節機構は、前記遮蔽板と前記出射口との間に配置された開口絞りと、
前記開口絞りと前記出射口との間に配置され、大きさの異なる複数の孔からなる絞りパターンが形成された絞り板と、
前記開口絞りに対する前記絞りパターンの相対位置を変更するための駆動系と、
前記モニタにより検出された迷光成分の光量変化に対応して、前記開口絞りを通過した照明光の光路上に配置される前記絞りパターンの透過部分を変更するよう前記駆動系を制御することで、前記開口絞りを通過した照明光の光量を調節する制御系を備えたことを特徴とする請求項１〜５の何れか一項記載のスポット光源装置。
【発明の詳細な説明】
【技術分野】
【０００１】
この発明は、特定波長の光を対象物に照射するためのスポット光源装置に関し、特に照明光の光量変化を効果的に抑制することで該照明光の安定供給を可能にする制御機構に関するものである。
【背景技術】
【０００２】
従来のスポット光源装置は、一般に、照明光を発生させる装置本体と、この装置本体の出射口に取り付けられたライトガイド（１又は複数の光ファイバの束）とで構成される。装置本体には、光源が設置されており、この光源から発生した所定波長の照明光は一旦反射・集光された後、該照明光の一部が出射口に導かれる。出射口を通過した照明光はライトガイドを伝搬し、該ライトガイドの先端部分から当該スポット光源装置の外部に位置する対象物に向けて照射される。
【０００３】
このとき、光源から出射口へ導かれない照明光の一部は、光漏れの原因となり、また、光照射に起因した加熱等による部品の劣化や変質の原因となる。そのため、特許文献１には、不要な照明光の一部を十分に遮蔽するための構造を備えたスポット光源装置が開示されている。
【０００４】
一方、スポット光源装置自体でも、電源電圧の変動、光源や関連部品の経時劣化（光量低下や反射鏡の曇りなど）等に起因した照明光の光量変化が発生する。このような場合、特許文献2に開示されたスポット光源装置では、照明光の一部を分岐ライトガイドを介してモニタし、このモニタ結果をフィードバックすることにより光出力を短期的にもまた長期的にも一定に維持する照明光の光量制御（フィードバック制御）が行われていた。
【特許文献１】特開２０００−５７８０３号公報
【特許文献２】特開平８−３２７８２６号公報
【発明の開示】
【発明が解決しようとする課題】
【０００５】
発明者らは、従来のスポット光源装置について検討した結果、以下のような課題を発見した。すなわち、特許文献２に記載された従来のスポット光源装置では、照明光の一部をモニタするため、照明光を取り出すライトガイドを分岐する必要がある。この場合、必然的に主ライトガイドからの光出力（照明光の光量）が低下するという課題があった。加えて、分岐ライトガイドは高価であるため、また、ライトガイド自体に分岐構造が採用されることにより関連する部品も多くなるため、当該スポット光源装置自体の製造コストを押し上げてしまうという課題があった。
【０００６】
この発明は、上述のような課題を解決するためになされたものであり、内部光源の光量変化や、反射鏡の曇り等に起因した照明光の光量変化を、より簡単な構成で確実に検知し、該照明光の光量を一定に維持するための構造を備えたスポット光源装置を提供することを目的としている。
【課題を解決するための手段】
【０００７】
この発明に係るスポット光源装置は、例えば、生物、鉱物、工作物等の観察、製品検査等の画像処理に利用されるＣＣＤカメラの照明装置を始め、種々の科学技術分野における照明装置に広く適用可能である。また、光源としては、例えば白熱灯、放電管、ハロゲンランプ、キセノンランプなど、ＵＶ、可視光を問わず種々の波長光の発生源が利用可能である。
【０００８】
この発明に係るスポット光源装置は、ハウジング内に収納された光源から出射口を介して照明光を安定的に取り出すための構造を備える。具体的に当該スポット光源装置は、光源と、ハウジングと、遮蔽板と、制御ユニットを、少なくとも備える。上記光源は、上述のように所定波長の照明光を発生させる種々の光源が適用可能である。上記ハウジングは、光源を収納した状態で、該光源からの照明光の一部を外部に取り出すための出射口が設けられている。上記遮蔽板は、ハウジング内の空間を光源側の空間と出射口側の空間とに分離するよう、該光源と該出射口と間に配置されている。この遮蔽板には、光源からの照明光の一部を出射口に導くための取り込み口が設けられている。さらに、上記制御ユニットは、遮蔽板により区切られた出射口側の空間内に配置され、照明光量のフィードバック制御を行う。
【０００９】
特に、上記制御ユニットは、照明光量のフィードバック制御を実現するため、光量調節機構と、モニタを少なくとも有する。上記光量調節機構は、遮蔽板の取り込み口を通過し前記出射口に向かう照明光の光量を調節する。上記モニタは、遮蔽板によって区切られた出射口側の遮蔽空間内であって取り込み口を通過し出射口に向かう照明光の光路上から外れた位置に配置され、該照明光のうち出射口を通過できない迷光成分の一部を、光量調節機構の制御情報として検出する。
【００１０】
上述のように、この発明に係るスポット光源装置では、光量調節機構の制御情報を得るためのモニタが、遮蔽板の取り込み口を通過し出射口に向かう照明光の光路上から外れた位置に配置されている。この構成により、出射口から取り出される照明光はモニタ光として利用されることはなく、該出射口から取り出された照明光はすべて対象物の照明に利用される。すなわち、モニタ光の損失分を加味した光量制御の必要はない。一方、取り込み口と出射口とで規定される空間内には、遮蔽板で区切られた遮蔽空間内で発生する回折光（開口絞り付近で発生する回折光など）、該出射口付近で発生する反射光、該遮蔽空間内に位置する部品により乱反射する散乱光（漏れ光）など、照明光として利用できない迷光成分が存在する。この発明に係るスポット光源装置は、この不要な迷光成分を照明光の光量変化検出のモニタ光として利用するための構造を備えたことを特徴としている。
【００１１】
なお、出射口から得られる照明光の光量変化は、遮蔽板の取り込み口と出射口とで規定される空間内に、迷光成分を検出するモニタを配置することにより十分に検出可能である。しかしながら、より高精度に照明光の光量変化を検出するためには、光量調節機構と出射口とで規定される空間内に存在する迷光成分を意図的にモニタへ誘導するための構造を備えるのが好ましい。すなわち、この発明に係るスポット光源装置は、ハウジング内において光量調節機構と出射口との間に配置され、該光量調節機構により光量調節された照明光（光量調節機構から出射口に向かう光）のうち出射口を通過できない迷光成分の一部をモニタへ導くための迷光誘導構造をさらに備えてもよい。
【００１２】
具体的に上記迷光誘導構造は、光量調節機構と前記出射口との間にモニタに隣接するよう配置され、該光量調節機構により光量調節された照明光を通過させるための開口を有する第１誘導板を含むのが好ましい。この第１誘導板が配置されることにより、モニタの受光面に対して迷光の入射角度が制限されるため、モニタへの入射光量を飛躍的に向上させることができる。
【００１３】
さらに、上記迷光誘導構造は、光量調節機構と第１誘導板との間であって、該第１誘導板とともにモニタを挟むよう配置された第２誘導板をさらに備えてもよい。この場合、第２誘導板は、第１誘導板とともに迷光成分の導波空間を形成する。また、第２誘導板には、該開口絞りを通過し出射口に向かう照明光を通過させるための開口が設けられている。この構成により、迷光成分がさらに効率的にモニタへ導かれる。
【００１４】
上述のように、第１及び第２誘導板により迷光成分の導波空間が形成された構成では、第１誘導板の開口面積は、第２誘導板の開口面積よりも大きいのが好ましい。この場合、第１誘導板の開口を介して第２誘導板の開口付近が直接出射口と対面することになる。したがって、迷光成分の主要要素である出射口からの反射光が直接第２誘導板に到達し、第１及び第２誘導板により迷光成分の導波空間に出射口からの反射光を効率的に導くことができる。
【００１５】
なお、この発明に係るスポット光源装置において、上記制御ユニットにおける光量調節機構は、開口絞りと、絞り板と、駆動系と、制御系を少なくとも備えるのが好ましい。具体的に上記上記開口絞りは、遮蔽板と出射口との間に配置され、該出射口へ向かう照明光のスポット径を規定する。上記絞り板は、開口絞りと出射口との間に配置され、大きさの異なる複数の孔からなる絞りパターンが形成されている。上記駆動系は、開口絞りに対する絞りパターンの相対位置を変更する。また、上記制御系は、モニタにより検出された迷光成分の光量変化に対応して、開口絞りを通過した照明光の光路上に配置される絞りパターンの部分を変更するよう駆動系を制御する。これにより、開口絞りを通過した照明光の光量が当該制御系により調節される。
【発明の効果】
【００１６】
以上のようにこの発明によれば、出射口から得られる照明光の光量をフィードバック制御するため、モニタが遮蔽板と出射口とで規定される遮蔽空間内であって、照明光の光路上から外れた位置に設けられている。この構成により、モニタは、照明光として利用できない迷光成分を照明光の光量変化検出のモニタ光として検出するため、出射口から取り出される照明光を効率的に利用することができる。また、照明光の一部をモニタ光に利用しないため、モニタ光の損失分を加味した光量制御は不要になる。
【発明を実施するための最良の形態】
【００１７】
以下、この発明に係るスポット光源装置の実施形態を、図１〜図９を用いて詳細に説明する。なお、図面の説明において、同一部材、同一部位には同一符号を付して重複する説明を省略する。
【００１８】
まず、図１〜３を用いて、この発明に係るスポット光源装置の一実施形態の概略構成を説明する。ここで、図１は、この発明に係るスポット光源装置の全体構成を示す斜視図である。図２は、図１に示されたスポット光源装置の内部構成を概略的に説明するための組立工程図である。また、図３は、図１に示されたスポット光源装置の内部構成を示す斜視図である。
【００１９】
図１に示されたように、この発明に係るスポット光源装置の一実施形態であるスポット光源装置１は、装置本体と、この装置本体の前方側壁に設けられた出射口にコネクタ２３を介して一端が取り付けられたライトガイド２５を備える。装置本体は、内部に光源等が配置されたハウジングを備え、このハウジングは、各種部品が所定位置に固定されるベース部１ａと、該ベース部１ａを覆うように該ベース部１ａに取り付けられるカバー１ｂで構成される。ベース部１ａは、各種部品が設置される底部と、出射口が設けられた前方側壁、及び該前方側壁と対向するよう配置された後方側壁から構成されている。カバー１ｂには、上面に持ち運びを可能にするための取っ手が設けられるとともに、ハウジング内部の熱気を排出するための通気孔１０が設けられている。なお、ベース部１ａ内に配置される光源としては、白熱灯、放電管、ハロゲンランプ、キセノンランプ等が利用可能であるが、以下の実施形態では、ＵＶ放電管が適用されたスポット光源装置について説明する。
【００２０】
スポット光源装置１は、図２に示されたように、ベース部１ａ内に着脱自在のユニットを順次固定していくことにより構成される。すなわち、ベース部１ａは、パーティション板１４により２つの空間に分離される。このパーティション板１４により区分された一方の空間には、駆動電源１３が配置される一方、他方の空間には光源である放電管２が反射鏡２１とともにに配置される。ベース部１ａの後方側壁には外部から冷却用空気を取り込むためのファン１５が設置されており、パーティション板１４には、ファン１５により取り込まれた冷却用空気を区分された各空間に送るための通風用切り欠き部が設けられている。
【００２１】
ベース部１ａの放電管２が配置される空間には、放電管２及び反射鏡２１を保持した様態で固定板２１ａが固定されるとともに、迷光誘導構造の一部を構成する第１誘導板４１が固定されている。固定板２１ａは、冷却用空気を通過させるため、パーティション板１４から所定距離離間した状態でベース部１ａに固定されており、この固定板２１ａには遮蔽カバー１８が取付けられる。第１誘導板４１には、照明光を通過させるための開口４０（照明光のスポット径よりも大きい直径を有する）が設けられており、制御ユニット１００を含む種々の部品が一体的に構成された着脱ユニットをベース部１ａに固定するための基準部材として機能する。そのため、第１誘導板４１の左右には、基準固定板４２ａ、４２ｂが固定されている。制御ユニット１００は、放電管２が配置される空間をさらに区分するための遮蔽板５０に一体的に固定され、この遮蔽板５０に取り付けられた天板５１が基準固定板４２ａ、４２ｂに取付けられる。すなわち、ネジ５１０ａが天板５１のネジ孔５１ａ及び基準固定板４２ａのネジ孔４２１ａにねじ込まれる一方、ネジ５１０ｂが天板５１のネジ孔５１ｂ及び基準固定板４２ｂのネジ孔４２１ｂにねじ込まれることにより、各部品がベース部１ａに固定される。
【００２２】
以上の工程を経て、図３に示されたような内部構造を有するスポット光源装置１が得られる。なお、この図３では、カバー１ｂを取り除いたベース部１ａが示されている。また、遮蔽板５１及び遮蔽カバー１８により、放電管２からの漏れ光が遮蔽される構造が実現されている。
【００２３】
次に、制御ユニット１００を含み、ベース部１ａに対して一体的に着脱される着脱ユニットの構造を、図４を用いて詳細に説明する。ここで、図４は、スポット光源装置１に設けられた制御ユニットの構造を説明するための組立工程図である。
【００２４】
ハウジング内の空間を放電管２側と出射口側の２つの空間に区分する遮蔽板５０には、制御ユニット１００を取り付けるためのネジ孔５０ａ〜５０ｃが設けられるとともに、天板５１が取り付けられている。天板５１には、ベース部１ａに固定するためのネジ孔５１ａ、５１ｂが設けられるとともに、迷光誘導構造を第１誘導板４１とともに構成する第２誘導板１２０を取り付けるためのネジ孔５１ｃ、５１ｄが設けられている。また、天板５１には、ファン１５から取り込まれた冷却用空気を排出するための通気孔５２と、制御ユニット１００の一部を構成する絞り板１５０の一部を露出させるための開口５３が設けられている。
【００２５】
上記遮蔽板５０に一体的に取り付けられる制御ユニット１００は、開口絞り１１２が設けられた固定板１１０、所定の絞りパターン１５０ａが形成された絞り板１５０、駆動系として固定板１１０に固定されたモータ１５１、１６１、シャッタ機構、及び制御系としての制御回路基板１３０から構成されている。
【００２６】
開口絞りが設けられた固定板１１０には、遮蔽板５０にネジ１１００ａ〜１１００ｃにより固定するためのネジ孔１１０ａ〜１１０ｃが設けられるとともに、制御回路基板１３０をネジ１３０ａ、１３０ｂにより固定するためのスペーサ１１１ｂ、１１１ｃ、第２誘導板１２０を取り付けるためのスペーサ１１１ａが設けられている。さらに、固定板１１０には、遮蔽板５０側に絞り板１５０を回転させるための駆動用モータ１５１が取り付けられるとともに、第２誘導板１２０側にシャッタ１６０を回転させるための駆動用モータ１６１が取り付けられている。駆動用モータ１５１の回転シャフトには、部材１５２が取り付けられており、ネジ１５２ａ、１５２ｂによって絞り板１５０が部材１５２に固定される。一方、駆動用モータ１６１の回転シャフトには固定リング１６２によってシャッタ１６０が固定される。
【００２７】
さらに、迷光誘導構造の一部を構成する第２誘導板１２０には、固定板１１０のスペーサ１１１ａにネジ１２００ａで固定されるようネジ孔１２０ｃが設けられるとともに、ネジ５１０ｃ、５１０ｄにより天板に固定されるよう、ネジ孔１２０ａ、１２０ｂが設けられている。また、第２誘導板１２０には、開口絞り１１２を通過した所定のスポット径を有する照明光を通過させるための開口１２２が設けられるとともに、迷光を検出するためのモニタ１４０が設置されている。第２誘導板１２０の側面には、補強板１２１が固定されている。
【００２８】
補強板１２１には、固定板１１０に設けられたスペーサ１１１ｂ、１１１ｃを単通させるための貫通孔１２１ｃ、１２１ｄが設けられるとともに、絞り板１５０の一部を露出させるための開口１２１ａ、シャッタ１６０及び駆動用モータ１６１の一部を露出させるための開口１２１ｂがそれぞれ設けられている。
【００２９】
制御回路基板１３０からは、駆動電源１３への制御信号の送信及び駆動電圧の供給を受けるためのコード、駆動用モータ１５１、１６１に駆動電圧及び駆動制御信号を供給するためのコード、及び、モニタ１４０からの電気信号を取り込むためのコードがそれぞれ接続されている。
【００３０】
図５は、以上のように組み立てられた制御ユニット１００の光量調整機構を説明するための図である。また、図６は、図５に示されたような光量調節機構による光量調整動作（フィードバック制御）を概略的に説明するための模式図である。
【００３１】
図５に示されたように、絞り板１５０には、大きさの異なる複数の孔からなる絞りパターン１５０ａが形成されており、この絞りパターン１５０ａの一部が開口絞り１１２を覆うように該絞り板１５０が設置されている。駆動用モータ１５１は、絞り板１５０を図中の矢印Ｓ１で示された方向に回転させることにより、開口絞り１１２に対する絞りパターン１５０ａにおける透過部分の相対位置を変更する。また、制御ユニット１００の光量調節機構は、開口絞り１１２からの照明光を遮断するシャッタ機構も備える。このシャッタ機構は、シャッタ１６０と、このシャッタ１６０の一端が固定リング１６２により固定された駆動用モータ１６１を備える。駆動用モータ１６１が、図中の矢印Ｓ２で示された方向にシャッタ１６０の他端を移動させることにより、シャッタ１６０で開口絞り１１２を覆うことが可能になる。
【００３２】
当該スポット光源装置１は、上述のような構造を有する光量調節機構をフィードバック制御することにより、光量が一定に維持された照明光を安定的に供給する。当該スポット光源装置１における各部品の配置は、図６に示されたように、放電管２から出射口２２に向かって順に、遮蔽板５０、固定板１１０、第２誘導板１２０、第１誘導板４１が配置されている。遮蔽板５０には、放電管２からの集光された照明光Ｌを取り込むための取り込み口５４が設けられており、固定板１１０には照明光Ｌのスポット径を規定する開口絞り１１２、第１及び第２誘導板４１、１２０にもそれぞれ開口（照明光Ｌのスポット径よりも大きい直径を有する）が設けられている。また、開口絞り１１２と第２誘導板１２０の間には所定の絞りパターン１５０ａが形成された絞り板１５０が配置されている。
【００３３】
この絞り板１５０に設けられた絞りパターン１５０ａと開口絞り１１２との相対位置を決定するため（開口絞り１１２を通過した照明光Ｌの光量を決定するため）、スポット光源装置１では、開口絞り１１２と出射口２２との間であって、照明光Ｌの光路上から外れた位置にモニタ１４０が配置されている。
【００３４】
モニタ１４０では、照明光Ｌのうち出射口２２を通過できない迷光成分の一部を、光量調節機構の制御情報として検出する。制御回路基板１３０（制御系）は、このモニタ１４０からの検出信号に基づいて、駆動用モータ１５１を駆動制御するとともに、駆動電源１３へも制御信号を送信する。このように、制御回路基板１３０において、照明光量のフィードバック制御が行われる。
【００３５】
以上のように、当該スポット光源装置１では、光量調節機構の制御情報を得るためのモニタ１４０が、開口絞り１１２を通過し出射口２２に向かう照明光Ｌの光路上から外れた位置に配置されている。そのため、出射口２２から取り出される照明光Ｌはモニタ光として利用されることはなく、該出射口２２から取り出された照明光Ｌはすべて対象物の照明に利用される。すなわち、モニタ光の損失分を加味した光量制御の必要はない。一方、開口絞り１１２と出射口２２とで規定される空間内には、該開口絞り１１２付近で発生する回折光、該出射口２２付近で発生する反射光、該空間内を伝搬する散乱光（漏れ光）など、照明光として利用できない迷光成分が存在する。このように、当該スポット光源装置１は、この不要な迷光成分を照明光Ｌの光量変化検出のモニタ光として利用するための構造を備える。
【００３６】
なお、迷光成分を検出することにより、開口絞り１１２を通過した照明光Ｌの光量変化は、開口絞り１１２と出射口２２とで規定される空間内に、迷光成分を検出するモニタを配置することにより十分に可能である。すなわち、上述の第１及び第２誘導板４１、１２０が開口絞り１１２と出射口２２との間に配置されていない場合であっても、迷光成分の検出は可能である。しかしながら、図１に示されたスポット光源装置１では、より高精度に照明光Ｌの光量変化を検出するためには、開口絞り１１２と出射口２２とで規定される空間内に存在する迷光成分を意図的にモニタへ誘導するための迷光誘導構造が設けられている。
【００３７】
図７は、光量変動をモニタするための種々の迷光誘導構成を説明するための図である。まず、図７（ａ）に示されたように、迷光誘導構造は、開口絞り１１２と出射口２２との間にモニタ１４０（センサ１４１と波長選択フィルタ１４２により構成されている）に隣接するよう配置され、該開口絞り１１２を通過し出射口２２に向かう照明光Ｌを通過させる開口４０を有する第１誘導板４１のみによって構成可能である。なお、開口４０の直径Ｄ１は、照明光Ｌのスポット径よりも大きいのが好ましい（「けられ」の防止）。このように第１誘導板４１が配置されることにより、モニタ１４０の受光面に対して迷光の入射角度が制限されるため、モニタ１４０への入射光量を飛躍的に向上させることができる。
【００３８】
さらに、迷光誘導構造は、図７（ｂ）に示されたように、開口絞り１１２と第１誘導板４１との間にモニタ１４０に隣接するよう配置された第２誘導板１２０をさらに備えてもよい。このとき、第２誘導板１２０は、第１誘導板４１とともに迷光成分の導波空間を形成する。また、第２誘導板１２０には、該開口絞り１１２を通過し出射口２２に向かう照明光Ｌを通過させるための開口１２２が設けられている。なお、この開口１２２は、第１誘導板４１の開口４０よりも小さく、かつ照明光Ｌのスポット径よりも大きい直径Ｄ２を有する（「けられ」の防止）。この構成では、迷光成分をさらに効率的にモニタへ導くことが可能になる。
【００３９】
特に、第１及び第２誘導板４１、１２０により迷光成分の導波空間が形成された図７（ｂ）の構成では、第１誘導板４１の開口４０を介して第２誘導板１２０の開口１２２付近が直接出射口２２と対面することになる。したがって、迷光成分の主要要素である出射口２２からの反射光が直接第２誘導板１２０に到達し、第１及び第２誘導板４１、１２０により迷光成分の導波空間に出射口２２からの反射光を効率的に導くことができる。
【００４０】
次に、この発明に係るスポット光源装置における温度制御（空冷制御）を可能にする構成について、図８及び９を用いて詳細に説明する。
【００４１】
図８は、図１に示されたスポット光源装置内部における気流の状態を説明するための図であり、同図（ａ）は、カバー１ｂ及び遮蔽カバー１８が取り外された状態での装置内部を示す平面図、同ず（ｂ）は、図８（ａ）中のＩ−Ｉ線に沿ったスポット光源装置１の断面図である。また、図９は、遮蔽板５０に設けられた気流制御板５５の機能を説明するための図である。
【００４２】
図８（ａ）に示されたように、ファン１５により外部から取り込まれた冷却用空気は、気流Ｆ１と気流Ｆ２に別れ、それぞれ駆動電源１３が配置された空間と放電管２が配置された空間に流れていく。気流Ｆ１は、駆動電源１３の熱を奪ってカバー１ｂの上面に設けられた通気孔１０から外部に放出される。一方、気流Ｆ２は、放電管２の周辺を移動した後、図８（ｂ）に示されたように、遮蔽板５０の取り込み口５４付近に設けられた制御板５５機能により上方へ向かい、天板５１の通気孔５２を通過し、さらに、カバー１ｂの上面に設けられた通気孔１０を通過して外部に放出される。
【００４３】
このとき、制御板５５は、図９に示されたように、一方の面が放電管２からの照明光が直接照射されるよう傾いた状態で設置されている。この制板５５の存在により、光量調節機構を構成する部品の加熱が効果的に抑制される。一方、照明光が直接照射される制御板５５自体は加熱されるため、天板５１側に向かう上昇気流を生じさせるよう機能する。そのため、ファン１５から取り込まれ、放電管２の周辺を通過した気流Ｆ２は、遮蔽板５５に設けられた取り込み口５４に進入した後、直ちに天板５１が位置する上方へ進行方向を修正し、天板５１の通気孔５２及びカバー１ｂの上面に設けられた通気孔１０に向かうことになる。
【００４４】
以上のように、遮蔽板５５と出射口２２との間に部品への光照射を防止する制御板５５が設けられることにより、装置内部の気流制御が容易に行われ、充分な空冷効果が得られる。
【００４５】
なお、この発明に係るスポット光源装置は、上述のＵＶスポット光源装置に限定されるものではなく、例えば可視光スポット光源装置など、様々な形態、用途のスポット光源装置に適用可能である。
【図面の簡単な説明】
【００４６】
【図１】この発明に係るスポット光源装置の一実施形態の全体構成を示す斜視図である。
【図２】図１に示されたスポット光源装置の内部構成を概略的に説明するための組立工程図である。
【図３】図１に示されたスポット光源装置の内部構成を示す斜視図である。
【図４】図１に示されたスポット光源装置に設けられた制御ユニットの構造を説明するための組立工程図である。
【図５】図１に示されたスポット光源装置における光量調整機構を説明するための図である。
【図６】図１に示されたスポット光源装置における光量調整動作を概略的に説明するための模式図である。
【図７】光量変動をモニタするための種々の構成を説明するための図である。
【図８】図１に示されたスポット光源装置内部における気流の状態を説明するための平面図及び断面図である。
【図９】気流制御板の機能を説明するための図である。
【符号の説明】
【００４７】
１…スポット光源装置、１ａ、１ｂ…ハウジング、２…放電管、１０…通気孔、１３…駆動電源、１４…パーティション板、１５…ファン、２１…反射鏡、２２…出射口、２３…コネクタ、２５…ライトガイド（光ファイバ）４１…第１誘導板、５０…遮蔽板、３５…制御板（気流制御板）、１００…制御ユニット、１１０…固定板、１１２…開口絞り、１２０…第２誘導板、１３０…制御回路基板、１４０…センサ、１５０…絞り板、１６０…シャッタ、１５１、１６１…駆動用モータ。
【図１】
2006351439.tif 000003
【図２】
2006351439.tif 000004
【図３】
2006351439.tif 000005
【図４】
2006351439.tif 000006
【図５】
2006351439.tif 000007
【図６】
2006351439.tif 000008
【図７】
2006351439.tif 000009
【図８】
2006351439.tif 000010
【図９】
2006351439.tif 000011